(57)【要約】【課題】  簡単にバンドの長さ調整の行えるアジャスト構造を提供することにある。【解決手段】    バンド駒の凹凸を組み合わせて構成されるバンドのアジャスト構造であって、凹部２０を形成する両内側面２１，２１に一対の突起部２６，２６を有する。その凹部２０に嵌合する凸部３０には、突起部２６，２６を凸部３０内に収納させる開口部３１，３１を有する。その開口部３１，３１は、バンド駒１０内へ組み込まれたスライド部材４０をスライドさせることによって開閉される。スライド部材４０のスライドは、バンド駒１０の外面に形成された長孔１１から表出する操作部４６によって行われる。【選択図】  図１
2005224382.tif 000002
【特許請求の範囲】
【請求項１】
バンド駒の凹凸を組み合わせて構成されるバンドのアジャスト構造であって、
凹部を形成する両内側面に一対の突起部を有し、
その凹部に嵌合する凸部には、前記一対の突起部を凸部内に収納させる開口部を有し、
その開口部は、バンド駒外面に操作部を備えてバンド駒内へスライド可能に組み込まれたスライド部材によって開閉されて、前記一対の突起部を着脱自在としたことを特徴とするバンドのアジャスト構造。
【請求項２】
スライド部材は、バンド駒内に組み込まれた弾性部材によって、開口部を閉塞する方向へ付勢されていることを特徴とする請求項２記載のバンドのアジャスト構造。
【請求項３】
請求項１又は２記載のバンドのアジャスト構造を備えた時計バンド
【発明の詳細な説明】
【技術分野】
【０００１】
本発明は、バンド駒で構成されるバンドのバンド駒を着脱自在とするアジャスト構造に関するものである。
【背景技術】
【０００２】
バンド駒の凹凸を組み合わせて構成されるバンドのアジャスト構造としては、これまで種々のものが存在している。
例えば、特許文献１では、凸部と凹部とを備えるバンド駒に連結貫通穴を設けて、その連結貫通穴にアジャストピンを挿入することを基本的構成とするアジャスト構造が開示されている。
【特許文献１】特開２０００−２９６００７号公報
【発明の開示】
【発明が解決しようとする課題】
【０００３】
しかし、特許文献１のように、バンド駒以外にアジャストピンを必要とするアジャスト構造であると、アジャスト作業が煩雑となる。とくに、近年インターネットショッピングなど店頭販売以外での商品購入が増加してきており、購入者自身でバンドの長さ調整をすることが多くなっている。
そこで、購入者自身が簡単にバンドの長さ調整の行えるアジャスト構造を提供することを目的とする。
【課題を解決するための手段】
【０００４】
上記目的を達成するために、第一の発明は、バンド駒の凹凸を組み合わせて構成されるバンドのアジャスト構造にあって、凹部を形成する両内側面に一対の突起部を有し、その凹部に嵌合する凸部には、前記一対の突起部を凸部内に収納させる開口部を有し、その開口部は、バンド駒外面に操作部を備えてバンド駒内へスライド可能に組み込まれたスライド部材によって開閉されて、前記一対の突起部を着脱自在としたことを特徴とするものである。
【０００５】
第二の発明は、スライド部材が、バンド駒内に組み込まれた弾性部材によって、開口部を閉塞する方向へ付勢されていることを特徴とするものである。
【発明の効果】
【０００６】
本発明によれば、次のような効果を有する。
（１）バンド駒外面の操作部を操作するだけで、簡単にバンド駒を取り付け・取り外しできるので、購入者でも無理なくバンドの長さ調整を行える。
（２）スライド部材が、開口部を閉塞する方向へ付勢されているので、みだりに開口部が開口せず、バンドの連結状態が確実に維持される。
【発明を実施するための最良の形態】
【０００７】
本発明の実施形態を図面に基づいて説明する。
図１は、本発明のバンドのアジャスト構造を示す説明図である。
バンド駒１０は、凹部２０と凸部３０とを有する。
凹部２０には、その凹部２０を形成する両内側面２１，２１に一対の突起部２６，２６を有する。
また、凸部３０には、隣り合うバンド駒１０の突起部２６，２６を凸部３０内に収納させる開口部３１，３１を有する。
【０００８】
開口部３１，３１は、バンド駒１０内へ組み込まれたスライド部材４０をスライドさせることによって開閉される。スライド部材４０のスライドは、バンド駒１０の外面に形成された長孔１１から表出する操作部４６によって行われる。
すなわち、図１（Ａ）に示すように、操作部４６を凸部３０先端側へ操作することで、スライド部材４０が凸部３０先端側へスライドし、開口部３１，３１が閉鎖される。また、図１（Ｂ）に示すように、操作部４６を凹部２０側へ操作することで、スライド部材４０が凹部２０側へスライドし、開口部３１，３１が開口される。
【０００９】
図２及び図３は、バンド駒１０の分解図である。
バンド駒１０は、図２に示すように上から順に、スライド部材４０，底芯５０，中芯５５，面芯ａ６０，面芯ｂ６５、本体カバー７０及び弾性部材４９よりなっている。
【００１０】
スライド部材４０は、略Ｔ字形をしており、上面に隆起した操作部４６を備える。また、左右に張り出した張出部４４，４４が、バンド駒１０の開口部３１，３１を閉塞する。
中芯５５は、バンド駒１０の凹部２０を形成する凹部形成部５８に、突起部２６，２６を備える。
底芯５０，中芯５５，面芯ａ６０，面芯ｂ６５は、それぞれスライド部材４０がバンド駒１０内でスライド可能となるように、切り欠き５１，５６，６１，６６を備える。
また、本体カバー７０には、開口部３１，３１を形成する切り溝７１，７１、スライド部材４０の操作部４６を表出する長孔１１を備える。
【００１１】
図３（Ａ）に示すように、スライド部材４０は、バンド駒１０の凸部３０先端側に垂下する折曲部４２を備え、この折曲部４２に弾性部材４９が当接するようにして、バンド駒１０内に組み込まれる。これにより、スライド部材４０は、この弾性部材４９によって凸部３０先端側、すなわち開口部３１，３１を閉塞する方向へ付勢されていることになる。
従って、開口部３１は、操作部４６の操作後、自動的に閉塞されるものとなっている。
【００１２】
このように、本体カバー７０に、底芯５０，中芯５５，面芯ａ６０，面芯ｂ６５及びスライド部材４０と弾性部材４９とを組み込んで、これらを被覆するように本体カバー７０を折曲して、バンド駒７０が完成する。
【００１３】
図４は、バンド駒１０の連結方法を示す説明図である。
図４（Ａ）に示すように、バンド駒１０ａは、操作部４６を凹部２０側へ操作して、開口部３１，３１が開口された状態にし、そこにもう一つのバンド駒１０ｂの突起部２６，２６を開口部３１，３１へ挿入する。そして、図４（Ｂ）に示すように、スライド部材４０が弾性部材４９によって凸部３０先端側へ付勢し、自動的に開口部３１，３１が閉塞されると、突起部２６，２６は凸部３０内に収納される。その結果、バンド駒１０ｂがバンド駒１０ａに取り付けられる。
【００１４】
また、バンド駒１０ｂをバンド駒１０ａから取り外すのも、これと同様である。
すなわち、図４（Ｂ）に示す状態から、図４（Ａ）に示す状態のように、バンド駒１０ａの操作部４６を凹部２０側へ操作して、開口部３１，３１が開口された状態にし、そこからもう一つのバンド駒１０ｂの突起部２６，２６を抜き出す。その結果、バンド駒１０ｂがバンド駒１０ａから取り外される。
【００１５】
なお、本実施形態では、バンド駒１０が凹部２０及び凸部３０をそれぞれ１つずつ有するものとしているが、凹部２０及び凸部３０をそれぞれ複数有するものであってもよい。
【産業上の利用可能性】
【００１６】
本発明は、時計バンドのアジャスト構造の他に、装飾品に使用されるバンドのアジャスト構造など、種々のバンドのアジャスト構造として広く利用できるものである。
【図面の簡単な説明】
【００１７】
【図１】本発明のバンドのアジャスト構造を示す説明図。
【図２】本発明に係るバンド駒の分解図。
【図３】本発明に係るバンド駒の分解図。
【図４】本発明に係るバンド駒の連結方法を示す説明図。
【符号の説明】
【００１８】
１０  バンド駒        １１  長孔
２０  凹部            ２１  内側面
２６  突起部
３０  凸部            ３１  開口部
４０  スライド部材    ４６  操作部
【図１】
2005224382.tif 000003
【図２】
2005224382.tif 000004
【図３】
2005224382.tif 000005
【図４】
2005224382.tif 000006